(57)【特許請求の範囲】
【請求項１】
固定シャーシ上に、レバー部(111)の先端部にコア部(112)を配備して構成される磁気ヘッド(110)が、信号記録媒体の信号面に対して昇降可能に配備されると共に、磁気ヘッド(110)を昇降させるための磁気ヘッド昇降レバー(10)が揺動可能に配備されている磁気ヘッド昇降装置において、該磁気ヘッド昇降レバー(10)は、磁気ヘッド(110)のレバー部(111)の基端部を駆動すべき連結アーム部(102)と、該連結アーム部(102)の両端に同一方向へ向けて突設された一対の揺動アーム部(104)(104)とを具え、両揺動アーム部(104)(104)には、それぞれの長手方向の中間位置から外向きに突出する一対の支軸(101)(101)が設けられ、該支軸(101)(101)が、固定シャーシに形成された一対の支軸受け(15)(15)に回転可能に係合すると共に、両揺動アーム部(104)(104)の先端部(106)(106)が、固定シャーシに形成された一対の抜け止め片(14)(14)の外側へ向けて突出し、該抜け止め片(14)(14)と重なっていることを特徴とする磁気ヘッド昇降装置。
【請求項２】
磁気ヘッド昇降レバー(10)は、金属板のプレス成型品であって、前記連結アーム部(102)と一対の揺動アーム部(104)(104)と一対の支軸(101)(101)とが、一体成型されている請求項１に記載の磁気ヘッド昇降装置。
【請求項３】
前記一対の支軸受け(15)(15)と一対の抜け止め片(14)(14)は、固定シャーシに一体成型されている請求項１又は請求項２に記載の磁気ヘッド昇降装置。
【請求項４】
磁気ヘッド昇降レバー(10)の一対の揺動アーム部(104)(104)の先端部(106)(106)と一対の抜け止め片(14)(14)は、少なくとも磁気ヘッド(110)を昇降させるための磁気ヘッド昇降レバー(10)の揺動範囲内で、少なくとも一部が互いに重なることとなる形状を有している請求項１乃至請求項３の何れかに記載の磁気ヘッド昇降装置。
【発明の詳細な説明】
【０００１】
【発明の属する技術分野】
本発明は、光磁気ディスク等のディスク状記録媒体を対象として、信号の記録及び／又は再生を行なうディスク記録／再生装置において、ディスクの信号面に対して磁気ヘッドを昇降させる磁気ヘッド昇降装置に関するものである。
【０００２】
【従来の技術】
この種のディスク記録／再生装置においては、ディスクカートリッジローディング装置によって、カートリッジホルダーに挿入されたディスクカートリッジを、先ずカートリッジホルダー内にて略水平方向に搬送した後、該カートリッジホルダーを略垂直方向に下降させて、ディスクカートリッジを信号記録／再生位置に設置することが行なわれている。
【０００３】
ディスクカートリッジローディング装置は、カートリッジ挿入口からカートリッジホルダー内へ挿入されたディスクカートリッジをカートリッジ挿入方向の移動端まで引き込むためのカートリッジ引き込み機構と、カートリッジホルダーを略垂直方向に下降させて、ディスクカートリッジを信号記録／再生位置に設置するためのホルダー昇降機構と、信号記録／再生位置のディスクカートリッジのディスク面へ向けて磁気ヘッドを下降させるための磁気ヘッド昇降機構とを具えている。
【０００４】
従来の磁気ヘッド昇降機構の構成を、図１に示す本発明装置の構成と対応させて説明する。磁気ヘッド(110)は、レバー部(111)の先端部にコア部(112)を配備してなり、カートリッジホルダー(６)に収容されたディスクカートリッジ(４)の光磁気ディスクＤの信号面に対して昇降可能に配備されており、レバー部(111)自体の弾性によってコア部(112)をディスクカートリッジ(４)のディスクの信号面に押し付けることが可能である。
又、磁気ヘッド昇降レバー(10)が揺動可能に配備され、該磁気ヘッド昇降レバー(10)を駆動することによって、磁気ヘッド(110)を昇降させることが出来る。
【０００５】
ここで、従来の磁気ヘッド昇降レバー(10)は、図２に示す本発明装置と同様に、前記磁気ヘッド(110)のレバー部(111)の基端部を駆動すべき連結アーム部(102)と、該連結アーム部(102)の両端に同一方向へ向けて突設された一対の揺動アーム部(104)(104)とを具え、両揺動アーム部(104)(104)の側面には、一対の支軸(101)(101)が突設され、両支軸(101)(101)が、メインシャーシ(１)に形成した一対の支軸受け(15)(15)に係合して、磁気ヘッド昇降レバー(10)が揺動可能に支持されている。
【０００６】
図１に示す駆動モータ(82)の動力が磁気ヘッド昇降レバー(10)に伝えられて、磁気ヘッド昇降レバー(10)が反時計方向に回転駆動されると、該磁気ヘッド昇降レバー(10)の連結アーム部(102)が上昇し、これに伴って、磁気ヘッド(110)のレバー部(111)が反時計方向に回動して、コア部(112)がディスクの信号面に押し付けられることになる。
【０００７】
【発明が解決しようとする課題】
ところで、従来の磁気ヘッド昇降機構においては、図２に示す如く磁気ヘッド昇降レバー(10)が金属板のプレス成型品であって、両揺動アーム部(104)(104)の屈曲変形に対する抵抗力が低く、両揺動アーム部(104)(104)が内側に変形すると、これに伴って支軸(101)(101)がメインシャーシ(１)の支軸受け(15)(15)から抜け出し、磁気ヘッド昇降レバー(10)がメインシャーシ(１)から脱落することになる。
そこで従来は、磁気ヘッド昇降レバー(10)の一対の揺動アーム部(104)(104)間にシャフトを架設して、両揺動アーム部(104)(104)の内側への変形を阻止する構造が採用されている。
【０００８】
しかしながら、磁気ヘッド昇降レバー(10)の一対の揺動アーム部(104)(104)間にシャフトを架設した構造においても、特にシャフトが長い場合、シャフトは圧縮力の作用によって容易に撓むため、両揺動アーム部(104)(104)の内側への変形を完全に阻止することは出来ない。又、シャフトの追加装備によって、部品点数が増える問題がある。
【０００９】
そこで本発明の目的は、部品点数を増大させることなく、磁気ヘッド昇降レバーの取り付けを確実なものとすることが出来る磁気ヘッド昇降装置を提供することである。
【００１０】
【課題を解決する為の手段】
本発明に係る磁気ヘッド昇降装置においては、固定シャーシ上に、レバー部(111)の先端部にコア部(112)を配備して構成される磁気ヘッド(110)が、信号記録媒体の信号面に対して昇降可能に配備されると共に、磁気ヘッド(110)を昇降させるための磁気ヘッド昇降レバー(10)が揺動可能に配備されている。
磁気ヘッド昇降レバー(10)は、磁気ヘッド(110)のレバー部(111)の基端部を駆動すべき連結アーム部(102)と、該連結アーム部(102)の両端に同一方向へ向けて突設された一対の揺動アーム部(104)(104)とを具えている。
磁気ヘッド昇降レバー(10)の両揺動アーム部(104)(104)には、それぞれの長手方向の中間位置から外向きに突出する一対の支軸(101)(101)が設けられ、該支軸(101)(101)が、固定シャーシに形成された一対の支軸受け(15)(15)に回転可能に係合すると共に、両揺動アーム部(104)(104)の先端部(106)(106)が、固定シャーシに形成された一対の抜け止め片(14)(14)の外側へ向けて突出し、該抜け止め片(14)(14)と重なっている。
【００１１】
上記本発明の磁気ヘッド昇降装置においては、磁気ヘッド昇降レバー(10)の両揺動アーム部(104)(104)に対して内側へ閉じる方向の外力が作用したとしても、両揺動アーム部(104)(104)の先端部(106)(106)が、固定シャーシに形成された一対の抜け止め片(14)(14)によって受け止められ、両揺動アーム部(104)(104)の変形が阻止される。
【００１２】
具体的構成において、磁気ヘッド昇降レバー(10)は、金属板のプレス成型品であって、前記連結アーム部(102)と一対の揺動アーム部(104)(104)と一対の支軸(101)(101)とが、一体成型されている。
該具体的構成によれば、従来の磁気ヘッド昇降レバーの両揺動アーム部の先端部を僅かに長く形成するだけで、部品点数を増大させることなく、本発明を実施することが出来る。
【００１３】
又、具体的構成において、前記一対の支軸受け(15)(15)と一対の抜け止め片(14)(14)は、固定シャーシに一体成型されている。
該具体的構成によれば、固定シャーシの成型工程にて、一対の支軸受け(15)(15)と一対の抜け止め片(14)(14)を同時に成型することが出来るので、部品点数を増大させることなく、本発明を実施することが出来る。
【００１４】
又、他の具体的構成において、磁気ヘッド昇降レバー(10)の一対の揺動アーム部(104)(104)の先端部(106)(106)と一対の抜け止め片(14)(14)は、少なくとも磁気ヘッド(110)を昇降させるための磁気ヘッド昇降レバー(10)の揺動範囲内で、少なくとも一部が互いに重なることとなる形状を有している。
該具体的構成によれば、磁気ヘッド(110)を往復移動させるべく磁気ヘッド昇降レバー(10)が揺動したとしても、一対の揺動アーム部(104)(104)の先端部(106)(106)と一対の抜け止め片(14)(14)の間の重複関係は維持され、これによって両揺動アーム部(104)(104)の変形が阻止される。
【００１５】
【発明の効果】
本発明に係る磁気ヘッド昇降装置によれば、固定シャーシに対して一対の抜け止め片を一体成型することが出来るので、部品点数を増大させることなく、磁気ヘッド昇降レバーの取り付けを確実なものとすることが可能である。
【００１６】
【発明の実施の形態】
以下、本発明を光磁気ディスク記録再生装置に実施した形態につき、図面に沿って具体的に説明する。
本発明に係る光磁気ディスク記録再生装置は、図１に示す如く、光磁気ディスクＤを回転自由に収容したディスクカートリッジ(４)を対象として、信号の記録及び再生を行なうものである。
尚、以下の説明においては、ディスクカートリッジ(４)の挿入方向に沿う奥方を装置の奥方若しくは後方とし、その逆方向を前方とする。
【００１７】
ベースシャーシ(８)の上方位置にメインシャーシ(１)が設置され、両シャーシ(８)(１)間にカートリッジホルダー(６)が配置されている。カートリッジホルダー(６)は、その後端部がメインシャーシ(１)上に枢支されて、上下方向に揺動が可能である。
ベースシャーシ(８)上には、信号記録／再生位置に設置されたディスクカートリッジ(４)内の光磁気ディスクを回転させる回転台(81)が配備されている。又、ベースシャーシ(８)上には、ディスクカートリッジ(４)の光磁気ディスクに信号の記録及び／又は再生を行なうための光ピックアップ(83)と磁気ヘッド(110)が、ディスクの半径方向へ往復駆動可能に配備されている。
【００１８】
上記光磁気ディスク記録再生装置においては、カートリッジホルダー(６)のカートリッジ挿入口(60)からカートリッジホルダー(６)内にディスクカートリッジ(４)を挿入して、僅かに押し込むことにより、駆動モータ(82)が起動し、該駆動モータ(82)の動力によって、先ず、カートリッジホルダー(６)内のディスクカートリッジ(４)が装置奥方へ搬送され、その後、カートリッジホルダー(６)が下方へ駆動されて、該カートリッジホルダー(６)内のディスクカートリッジ(４)が信号記録／再生位置に設置される。
【００１９】
図２に示す如く、メインシャーシ(１)には、磁気ヘッド(110)の可動範囲に開口(1a)が設けられると共に、カートリッジ挿入方向へ伸びる２本の直線案内溝(11)(11)と、１本の屈曲案内溝(12)とが開設されている。該屈曲案内溝(12)は、カートリッジ挿入方向とは直交する方向に伸びる第１溝部(12a)と、該第１溝部(12a)の一方の端部からカートリッジ挿入方向へ伸びる第２溝部(12b)とを具えている。
【００２０】
メインシャーシ(１)の裏面には、カートリッジ引き込みスライド(２)が配備され、該カートリッジ引き込みスライド(２)に形成した２つの切り起こし片(21)(21)がメインシャーシ(１)の直線案内溝(11)(11)に係合して、カートリッジ引き込みスライド(２)の往復移動が案内されている。又、メインシャーシ(１)とカートリッジ引き込みスライド(２)との間にバネ(３)が張設されて、カートリッジ引き込みスライド(２)がカートリッジ排出方向に付勢されている。
【００２１】
又、カートリッジ引き込みスライド(２)には、その前端縁からＬ字状に突出するＬ字屈曲片(23)と、その側部から下向きに突出する突片(25)と、その後端縁から下向きに突出する帯板状の被駆動片(24)とが形成されている。又、カートリッジ引き込みスライド(２)には、メインシャーシ(１)の屈曲案内溝(12)と対応する位置に、貫通孔(22)が開設されている。
【００２２】
カートリッジ引き込みスライド(２)の裏面には、カートリッジハンドリングレバー(５)が配備される。該カートリッジハンドリングレバー(５)は、合成樹脂の一体成型品であって、ベース(50)上には、その奥方側の端部に、カートリッジ引き込みスライド(２)の貫通孔(22)を貫通する枢軸(51)が突設されると共に、その中央部には、カートリッジ引き込みスライド(２)の開口(2a)を貫通してメインシャーシ(１)の屈曲案内溝(12)に係合するピン(53)が突設されている。又、ベース(50)の前方側の端部には、Ｕ字状に屈曲する弾性屈曲部(52)が突設されている。更に、カートリッジハンドリングレバー(５)のベース(50)の中央部には、図４に示すディスクカートリッジ(４)の先端部(41)によって押圧されるべきレバー(54)が、カートリッジホルダー(６)のディスクカートリッジ収容空間へ向けて突設されると共に、ベース(50)の前方側の端部には、ディスクカートリッジ(４)の側面に形成されている凹部(42)に係合可能な爪片(55)が突設されている。
【００２３】
カートリッジホルダー(６)には、図３に示す如く、カートリッジハンドリングレバー(５)の弾性屈曲部(52)の先端部(52a)が摺接すべき切り起こし片(61)と、カートリッジ引き込みスライド(２)のＬ字屈曲片(23)と係合すべきＬ字屈曲片(62)とが突設されると共に、後述するカム部材(９)へ向けて突出する第１カムフォロワー(63)が形成されている。又、カートリッジホルダー(６)の両側壁の後端部には、一対の支軸(64)(64)が外向きに突設され、該支軸(64)(64)が図２に示すメインシャーシ(１)に回転可能に支持されて、カートリッジホルダー(６)の上下動が可能となっている。
【００２４】
前記ベースシャーシ(８)上には、図３に示すカム部材(９)が配備されている。該カム部材(９)は、下半部にモータの動力が伝えられるべきギア部(9a)を有すると共に、上半部に円筒状の第１カム部(91)を有し、上面には、台形状の第２カム部(93)が突設されている。
第１カム部(91)は、その上端面に、高位カム面(91a)と、傾斜カム面(91b)と、低位カム面(91c)とを有しており、該第１カム部(91)には、カートリッジホルダー(６)の第１カムフォロワー(63)が摺接する。これによって、カートリッジホルダー(６)を昇降させるためのカム機構が構成される。
又、第１カム部(91)の高位カム面(91a)と低位カム面(91c)の間の段差部によって、カートリッジ引き込みスライド(２)の被駆動片(24)と対向する円弧面状の駆動カム面(92)が形成されており、該駆動カム面(92)とカム部材(９)の外周面(94)とがカートリッジ引き込みスライド(２)の被駆動片(24)に摺接する。これによって、カートリッジ引き込みスライド(２)を駆動するためのカム機構が構成される。
第２カム部(93)は、その上面に、傾斜カム面(93a)と高位カム面(93b)とを有し、該第２カム部(93)には、後述する磁気ヘッド昇降レバー(10)の端部が摺接する。これによって、磁気ヘッド昇降レバー(10)を昇降させるためのカム機構が構成される。
【００２５】
図２に示すメインシャーシ(１)の開口(1a)には、磁気ヘッド昇降レバー(10)が配備される。磁気ヘッド昇降レバー(10)は、帯板状の連結アーム部(102)の両側部に一対の揺動アーム部(104)(104)を同一方向へ突設して構成され、両揺動アーム部(104)(104)の両側面に、メインシャーシ(１)に形成された一対の支軸受け(15)(15)に嵌合すべき一対の支軸(101)(101)が突設されている。又、磁気ヘッド昇降レバー(10)の一方の揺動アーム部(104)の基端部には、第２カムフォロワー(103)が前記カム部材(９)の第２カム部(93)に向けて突設されている。
磁気ヘッド昇降レバー(10)の両揺動アーム部(104)(104)は、支軸(101)の位置よりも更に前方へ突出し、図５に示す如く、その先端部(106)(106)がメインシャーシ(１)に突設した一対の抜け止め片(14)(14)の外側に配置されている。
【００２６】
メインシャーシ(１)と磁気ヘッド昇降レバー(10)の一方の揺動アーム部(104)との間には、トーションバネ(13)が介在し、該揺動アーム部(104)を時計方向に回転付勢しており、これによって、磁気ヘッド昇降レバー(10)の連結アーム部(102)は、下方へ付勢されることになる。
又、メインシャーシ(１)とカートリッジホルダー(６)の対向面間には、図２に示すコイルバネ(７)が介在し、カートリッジホルダー(６)を下方へ付勢している。
【００２７】
磁気ヘッド(110)は、図１に示す如くレバー部(111)の先端部にコア部(112)を具え、レバー部(111)自体の弾性によってコア部(112)をディスクカートリッジ(４)のディスクの信号面に押し付けることが可能となっている。
信号記録時以外の状態では、磁気ヘッド昇降レバー(10)の連結アーム部(102)によって磁気ヘッド(110)のレバー部(111)の基端部が押し下げられて、コア部(112)は、ディスク信号面から上方へ離間しているが、信号記録時には、後述の如く磁気ヘッド昇降レバー(10)の連結アーム部(102)が上昇して、コア部(112)は、ディスク信号面上に下降し、更にレバー部(111)の弾性付勢力によってディスク信号面に押し付けられる。
【００２８】
上記光磁気ディスク記録再生装置の組立工程において、図５に示す如く磁気ヘッド昇降レバー(10)をメインシャーシ(１)に取り付ける際には、図６(ａ)に示す様に、磁気ヘッド昇降レバー(10)を略垂直に立てた状態で、該磁気ヘッド昇降レバー(10)の支軸(101)をメインシャーシ(１)の支軸受け(15)に嵌め込んだ後、同図(ｂ)の様に磁気ヘッド昇降レバー(10)を略水平姿勢まで回転させ、揺動アーム部(104)の先端部をメインシャーシ(１)の抜け止め片(14)に係合せしめる。その後、同図(ｃ)の如く、メインシャーシ(１)にカートリッジホルダー(６)を取り付ける。
この結果、図６(ｃ)の如く磁気ヘッド昇降レバー(10)が時計方向に回動したエジェクト状態やカートリッジ引き込み状態のみならず、同図(ｄ)の如く磁気ヘッド昇降レバー(10)が反時計方向に回動した信号再生状態や信号記録状態においても、磁気ヘッド昇降レバー(10)の揺動アーム部(104)はメインシャーシ(１)の抜け止め片(14)と重なって、支軸(101)の抜け止めが図られることになる。
【００２９】
図７〜図１２はそれぞれ、上記光磁気ディスク記録再生装置のディスクカートリッジローディング装置の初期状態(図７)、カートリッジ挿入状態(図８)、カートリッジ引き込み開始状態(図９)、カートリッジ引き込み完了状態(図１０)、信号再生状態(図１１)、及び信号記録状態(図１２)の各動作状態を表わしている。尚、これらの図においては、全ての部材の動作状態を示すために、部材間の重複の有無に拘わらず、各部材の輪郭を実線で描いている。
【００３０】
図７に示す初期状態においては、カートリッジ引き込みスライド(２)がバネ(３)により引っ張られて、ディスク排出方向の移動端に設置されている。又、カートリッジハンドリングレバー(５)の弾性屈曲部(52)は、その先端部(52a)がカートリッジホルダー(６)上の切り起こし片(61)に摺接して、ベース(50)に時計方向の回転付勢力を与えている。これによって、ベース(50)は時計方向に回動し、これに伴ってピン(53)がメインシャーシ(１)の屈曲案内溝(12)の第１溝部(12a)に係合している。
従って、装置外部から衝撃が加わって、カートリッジ引き込みスライド(２)に対してカートリッジ引き込み方向の作用したとしても、該カートリッジ引き込みスライド(２)に取り付けられているカートリッジハンドリングレバー(５)のピン(53)が、メインシャーシ(１)に開設されている屈曲案内溝(12)の第１溝部(12a)の側壁(12c)に受け止められて、カートリッジ引き込みスライド(２)及びカートリッジハンドリングレバー(５)の移動が阻止される。これによって、装置の異常動作を防止することが出来、ひいてはメカニズムの損傷を防止することが出来る。
【００３１】
カートリッジホルダー(６)の第１カムフォロワー(63)は、カム部材(９)の第１カム部(91)の高位カム面(91a)に摺接しており、これによってカートリッジホルダー(６)はコイルバネ(７)に抗して上昇端に保持されている。
又、磁気ヘッド昇降レバー(10)の第２カムフォロワー(103)は、カム部材(９)の第２カム部(93)からは離間しており、磁気ヘッド昇降レバー(10)は、トーションバネ(13)による付勢によって連結アーム部(102)が下降端に設置されている。従って、磁気ヘッド(110)のレバー部(111)の基端部が、磁気ヘッド昇降レバー(10)の連結アーム部(102)によって押し下げられ、コア部(112)は、ディスク信号面から上方へ離間している。
【００３２】
この状態で、カートリッジホルダー(６)のカートリッジ挿入口(60)からカートリッジホルダー(６)内にディスクカートリッジ(４)を挿入し、僅かに押し込む。これによって、図８に示すカートリッジ挿入状態となる。
カートリッジ挿入状態では、ディスクカートリッジ(４)の先端部(41)がカートリッジ引き込みスライド(２)の突片(25)に当接すると共に、カートリッジハンドリングレバー(５)のレバー(54)を押して、カートリッジハンドリングレバー(５)のベース(50)を弾性屈曲部(52)の付勢に抗して反時計方向に回転させている。
カートリッジハンドリングレバー(５)のベース(50)の反時計方向の回転に伴って、爪片(55)がディスクカートリッジ(４)の凹部(42)に嵌合すると共に、ピン(53)が、メインシャーシ(１)の屈曲案内溝(12)の第１溝部(12a)から第２溝部(12b)に移動する。これによって、カートリッジハンドリングレバー(５)及びカートリッジ引き込みスライド(２)のカートリッジ挿入方向への移動が許容されることになる。
【００３３】
ディスクカートリッジ(４)を更にカートリッジホルダー(６)内へ押し込むことによって、図９に示す如く、ディスクカートリッジ(４)の先端部(41)によってカートリッジ引き込みスライド(２)の突片(25)が押圧されて、カートリッジ引き込みスライド(２)はカートリッジ挿入方向へ移動する。これに伴って、カートリッジハンドリングレバー(５)のピン(53)がメインシャーシ(１)の屈曲案内溝(12)の第２溝部(12b)を進行することとなり、該ピン(53)は、第２溝部(12b)に拘束されて、ディスクカートリッジ(４)の凹部(42)から脱出不能に拘持される。
その後、カートリッジ引き込みスライド(２)が所定位置まで移動すると、図示省略するスイッチがオンとなって、駆動モータ(82)が起動する。これによって、カム部材(９)が時計方向に回転駆動される。該カム部材(９)の回転に伴って、駆動カム面(92)がカートリッジ引き込みスライド(２)の被駆動片(24)を駆動し、カートリッジ引き込みスライド(２)を更に装置奥方へ移動させる。
この結果、カートリッジ引き込みスライド(２)と一体にカートリッジハンドリングレバー(５)が移動し、これによってカートリッジホルダー(６)内のディスクカートリッジ(４)が装置奥方に引き込まれる。
【００３４】
その後、図１０に示す如く、カム部材(９)の外周面(94)がカートリッジ引き込みスライド(２)の被駆動片(24)と摺接することになり、これによってカートリッジ引き込みスライド(２)の駆動が終了し、ディスクカートリッジ(４)の引き込み動作が完了する。
【００３５】
その後、図１１に示す如く、カム部材(９)が更に時計方向に回転することによって、カートリッジホルダー(６)の第１カムフォロワー(63)は、カム部材(９)の第１カム部(91)の高位カム面(91a)から傾斜カム面(91b)と摺接することになり、これに伴ってカートリッジホルダー(６)がコイルバネ(７)の付勢力により下降する。これによって、カートリッジホルダー(６)内のディスクカートリッジ(４)がベースシャーシ(８)上の回転台(81)に装着される。
その後、カム部材(９)の回転に伴って、カートリッジホルダー(６)の第１カムフォロワー(63)は、カム部材(９)の第１カム部(91)の傾斜カム面(91b)と離間することになり、これによって、カートリッジホルダー(６)はコイルバネ(７)の付勢力により下降端に圧着保持されることになる。
この結果、光ピックアップ(83)によってディスクカートリッジ(４)のディスクから信号を再生することが可能な信号再生状態が設定される。
【００３６】
その後、図１２に示す如く、カム部材(９)が更に時計方向に回転することによって、カートリッジホルダー(６)の第１カムフォロワー(63)が、カム部材(９)の第１カム部(91)の低位カム面(91c)に、離間状態で対向すると共に、磁気ヘッド昇降レバー(10)に突設された第２カムフォロワー(103)が、カム部材(９)の第２カム部(93)の傾斜カム面(93a)と摺接することになり、該傾斜カム面(93a)の駆動によって磁気ヘッド昇降レバー(10)が反時計方向に回転し、連結アーム部(102)が上昇する。この結果、磁気ヘッド昇降レバー(10)の連結アーム部(102)が磁気ヘッド(110)のレバー部(111)の基端部から離間し、これに伴って、磁気ヘッド(110)のレバー部(111)が反時計方向に回転し、コア部(112)がディスクカートリッジ(４)のディスク信号面上に降下する。
そして、更にカム部材(９)が時計方向に回転することによって、磁気ヘッド昇降レバー(10)の第２カムフォロワー(103)はカム部材(９)の第２カム部(93)の高位カム面(93b)と摺接することとなり、磁気ヘッド昇降レバー(10)の回転が停止する。
この結果、磁気ヘッド(110)及び光ピックアップ(83)によって、ディスクカートリッジ(４)のディスクに信号の記録を行なうことが出来る信号記録状態が設定される。
【００３７】
信号の記録又は再生が終了した後、ディスクカートリッジ(４)を排出する際は、駆動モータ(82)を逆転させて、カム部材(９)を反時計方向に回転駆動する。これによって、ディスクカートリッジローディング装置は、図１２の信号記録状態又は図１１の信号再生状態から、図１０のカートリッジ引き込み完了状態、図９のカートリッジ引き込み開始状態、及び図８のカートリッジ挿入状態を経て、図７の初期状態、即ちエジェクト状態に戻ることになる。
【００３８】
図１０のカートリッジ引き込み完了状態から図７のエジェクト状態へのディスクカートリッジ(４)の排出は、カートリッジ引き込みスライド(２)がバネ(３)の付勢力を受けることによって行なわれる。
図７のエジェクト状態においては、カートリッジハンドリングレバー(５)の弾性屈曲部(52)の先端部(52a)がカートリッジホルダー(６)の切り起こし片(61)に摺接することとなり、該弾性屈曲部(52)の弾性付勢力によってベース(50)が時計方向に回転し、これに伴って爪片(55)がディスクカートリッジ(４)の凹部(42)から離脱する。この結果、ディスクカートリッジ(４)の取り出しが可能となる。
【００３９】
上記本発明のディスクカートリッジローディング装置においては、ディスクカートリッジ(４)を直接に駆動するために従来より配備されているカートリッジハンドリングレバー(５)にピン(53)を突設すると共に、メインシャーシ(１)に屈曲案内溝(12)を開設した構造によって、装置が衝撃力を受けた場合のカートリッジ引き込みスライド(２)の移動を阻止しているので、部品点数を増加させることなく、装置の異常動作とメカニズムの損傷が防止されている。
【００４０】
又、駆動モータ(82)によって駆動されるカム部材(９)に、カートリッジ引き込みスライド(２)を往復移動させるためのカム面(92)と、カートリッジホルダー(６)を昇降させるための第１カム部(91)と、磁気ヘッド昇降レバー(10)を昇降させるための第２カム部(93)とを設けて、３つのカム動作を単一のカム部材(９)の回転によって実現しているので、部品点数の削減が図られると共に、ディスクカートリッジの引き込み動作と、カートリッジホルダーの昇降動作と、磁気ヘッドの昇降動作とを、スムーズに切り替えることが出来る。
【００４１】
更に又、磁気ヘッド昇降レバー(10)の両揺動アーム部(104)(104)の先端部(106)(106)を僅かに延長すると共に、メインシャーシ(１)に抜け止め片(14)(14)を一体成型した構造によって、磁気ヘッド昇降レバー(10)の支軸(101)の抜け止めが施されているので、確実な抜け止め効果が得られると共に、抜け止めのための部品を別に配備する必要がないために部品点数の削減が図られる。
【図面の簡単な説明】
【図１】本発明に係るディスクカートリッジローディング装置の斜視図である。
【図２】該ディスクカートリッジローディング装置の構成を示す分解斜視図である。
【図３】該ディスクカートリッジローディング装置の構成を示す他の分解斜視図である。
【図４】該ディスクカートリッジローディング装置の構成を示す更に他の分解斜視図である。
【図５】メインシャーシに磁気ヘッド昇降レバーが取り付けられている状態を示す平面図である。
【図６】メインシャーシに磁気ヘッド昇降レバーを取り付ける工程及び磁気ヘッド昇降レバーの動きを示す一連の側面図である。
【図７】本発明に係るディスクカートリッジローディング装置の初期状態を示す平面図である。
【図８】該装置のカートリッジ挿入状態を示す平面図である。
【図９】該装置のカートリッジ引き込み開始状態を示す平面図である。
【図１０】該装置のカートリッジ引き込み完了状態を示す平面図である。
【図１１】該装置の信号再生状態を示す平面図である。
【図１２】該装置の信号記録状態を示す平面図である。
【符号の説明】
(１)  メインシャーシ
(12)  屈曲案内溝
(12a) 第１溝部
(12b) 第２溝部
(13)  トーションバネ
(14)  抜け止め片
(２)  カートリッジ引き込みスライド
(24)  被駆動片
(25)  突片
(４)  ディスクカートリッジ
(42)  凹部
(５)  カートリッジハンドリングレバー
(50)  ベース
(51)  枢軸
(52)  弾性屈曲部
(53)  ピン
(54)  レバー
(55)  爪片
(６)  カートリッジホルダー
(63)  第１カムフォロワー
(64)  支軸
(８)  ベースシャーシ
(81)  回転台
(82)  駆動モータ
(83)  光ピックアップ
(９)  カム部材
(91)  第１カム部
(92)  駆動カム面
(93)  第２カム部
(10)  磁気ヘッド昇降レバー
(102) 連結アーム部
(104) アーム部
(106) 先端部
(101) 支軸
(103) 第２カムフォロワー
(110) 磁気ヘッド
(111) レバー部
(112) コア部
【図１】
0003831647.tif 000002
【図２】
0003831647.tif 000003
【図３】
0003831647.tif 000004
【図４】
0003831647.tif 000005
【図５】
0003831647.tif 000006
【図６】
0003831647.tif 000007
【図７】
0003831647.tif 000008
【図８】
0003831647.tif 000009
【図９】
0003831647.tif 000010
【図１０】
0003831647.tif 000011
【図１１】
0003831647.tif 000012
【図１２】
0003831647.tif 000013